(57)【要約】【課題】従来のように、パーツごとに型紙をあてがって布を裁断した後で、それぞれの布を接ぎ合せて帽子を製作するのではなく、一枚のシートを帽子の仕上がり線に付けた裁断線だけで裁断して鍔付き帽子を製作する方法を課題とした。【解決手段】帽子のトップクラウンの中心から６、８、９、１０、１２のいずれかに等分する分割線を軸に軸対称であるダーツ縫線を重ね合せてダーツ線とし、さらに、クラウンおよび鍔の折返し代あるいは縫代を加えた裁断線で裁断した後に、分割線ごとにそれぞれのダーツ縫線を重ね合せてダーツ縫いすることを特徴とする。【選択図】図１
2010144268.tif 000002
【特許請求の範囲】
【請求項１】
一枚のシートから鍔付き帽子を製作する方法において、帽子のトップクラウン中心から６、８、９、１０、１２のいずれかに等分する分割線上のトップクラウン外周をダーツ先端とし、分割線上のクラウン外周までの長さの斜辺と、隣り合う分割線との中央を通る中央線に直交する頭周りを２倍の分割数で除した長さの辺との直角三角形の頂点をダーツ始点とし、ダーツ始点とダーツ先端を結んでダーツ縫線とし、分割線を軸とする軸対称のダーツ縫線を重ね合せてダーツ線とし、さらに、クラウンおよび鍔の折返し代あるいは縫代を加えた裁断線で裁断した後に、分割線ごとに、それぞれ重ね合せたダーツ縫線をダーツ縫いすることを特徴とする鍔付き帽子を製作する方法。
【発明の詳細な説明】
【技術分野】
【０００１】
本発明は、一枚のシートを帽子の仕上がり線に付けた裁断線だけで裁断して鍔付き帽子を作製する方法に関する。
【背景技術】
【０００２】
従来、ほとんどの布製帽子は、裁断したパーツの布を接ぎ合せて製作されている。
【特許文献１】特許３９１２６５４号公報
【特許文献２】特許３９９０４３４号公報
【発明の開示】
【発明が解決しようとする課題】
【０００３】
従来のように、パーツごとに型紙をあてがって布を裁断した後で、それぞれの布を接ぎ合せて帽子を製作する方法は、裁断や縫製に手間を要し、時間がかかる。そこで、帽子を作製する手間隙を省くために、一枚のシートを帽子の仕上がり線に付けた裁断線だけで裁断して鍔付き帽子を製作する方法を課題とした。
【課題を解決するための手段】
【０００４】
上記課題を解決するために、帽子のトップクラウン中心から６、８、９、１０、１２のいずれかに等分する分割線上のトップクラウン外周をダーツ先端とし、分割線上のクラウン外周までの長さの斜辺と、隣り合う分割線との中央を通る中央線に直交する頭周りを２倍の分割数で除した長さの辺との直角三角形の頂点をダーツ始点とし、ダーツ始点とダーツ先端を結んでダーツ縫線とし、分割線を軸とする軸対称のダーツ縫線を重ね合せてダーツ線とし、さらに、クラウンおよび鍔の折返し代あるいは縫代を加えた裁断線で裁断した後に、分割線ごとに、それぞれ重ね合せたダーツ縫線をダーツ縫いすることを特徴とする。
【発明の効果】
【０００５】
本発明は、帽子のパーツに分けて裁断するのではなく、１枚のシートを帽子の縁の裁断線だけで、布の糸目方向にこだわらずに裁断するので裁断に要する手間隙は少ない。さらに、ダーツ始点とダーツ先端を結んだダーツ縫線を重ね合わせてダーツ縫いするので縫製に要する手間隙が軽減される。
【０００６】
また、頭周りサイズの補正、および、ダーツ線の補正などが容易であり、好みや用途に合わせてオリジナルな帽子を作製することができる。
【０００７】
さらに、ダーツ線の数、位置、および、湾曲具合、あるいは、鍔の形状などを選択して、キャップ、ハット、キャスケット、ベレー帽など、様々なタイプの帽子を作製することができる。
【０００８】
本発明は、一枚の紙や柔軟性のある合成樹脂製シートからでも鍔付き帽子を製作することができる。その場合には、軸対称のダーツ縫線を固着線とし、軸対称である固着代に切込みを入れて固着するか、あるいは、固着代を切り落として接着テープなどで固定する。
【発明を実施するための最良の形態】
【０００９】
本発明について、実施の１例をもとに、以下図面を参照しつつ詳細に説明する。
【実施例１】
【００１０】
本発明の実施例１は、クラウンおよび鍔が前頭部中央と後頭部中央を軸に左右対称の帽子である。図１は、実施例１の説明図である。図１では、頭周りを５６．０ｃｍとし、分割数を１０とし、トップクラウンの中心から６．０ｃｍの位置をトップクラウン外周点ａとした。そして、前頭部中央にある分割線Ｌ１上のクラウン外周点ｂ１をトップクラウンの中心１から１７．０ｃｍとし、左右対称にある分割線上のクラウン外周点ｂを、順に、１６．０ｃｍ、１５．５ｃｍ、１５．０ｃｍ、１４．５ｃｍ、１４．０ｃｍとした。同様に、１２．０ｃｍ、１０．５ｃｍ、８．５ｃｍ、７．０ｃｍ、７．０ｃｍ、８．０ｃｍとする鍔の長さ（直線ｂｃ）と、１．５ｃｍの縫代（直線ｃｄ）をクラウン外周点ｂに加えた。
【００１１】
図１において、分割線Ｌ１を例として説明を進めることにする。中心1と点ｂ１を結ぶ線を半径とする円周上と中心１を結んだ直線を斜辺とし、隣り合う分割線Ｌ１０との中央を通る中央線に直交する頭周りを２倍の分割数で除した長さ２．８ｃｍ（５６÷１０÷２）の辺との直角三角形の頂点をダーツ始点ｅ１とし、ダーツ先端ａ１とダーツ始点ｅ１を結んだ湾曲線をダーツ縫線Ｌ１２とし、分割線Ｌ１を軸とする軸対称にあるダーツ先端ａ１とダーツ始点ｆ１を結んだ湾曲線をダーツ縫線Ｌ１３とし、ダーツ縫線Ｌ１２とダーツ縫線Ｌ１３を重ねあわせてダーツ線とする。
【００１２】
さらに、中心１と分割線Ｌ１上の点ｃ１を結んだ直線を半径とする円周点ｇ１からダーツ始点ｅ１までを結んだ直線を鍔縫線Ｌ１４とし、分割線Ｌ１を軸にして対称にある円周点ｈ１からダーツ始点ｆ１を結んだ直線を鍔縫線Ｌ１５とし、鍔縫線Ｌ１４と鍔縫線Ｌ１５を重ねて鍔の縫製線とする。そして、隣り合う分割線Ｌの点ｇと点ｈを鍔の仕上がり線６で結んだ後に縫代を付けて裁断線７を連続させとする。
【００１３】
裁断線に沿って裁断した後、分割線ごとに、それぞれ重ね合せたダーツ縫線と鍔縫線を通して縫製する。そして、それぞれの鍔のつまみを押さえ縫いし、最後に、鍔の縫代を始末する。実施例１では、鍔のつまみを割ってタックにし、別途に共布で作って縫い合せた裏鍔と共に分割線に沿って押さえ縫いした。
【００１４】
このように作製した実施例１は、頭部を深く覆うことができ、鍔が広くても視野を妨げない帽子であり、風で飛ばされにくく、スポーツなどで激しい動きをしても簡単には脱げない。また、脱着に手間が掛からないので、必要に応じてサンバイザーと共に着用し、頭部や顔面部の日除けを調整することができる。
【００１５】
以上、本発明に関して実施の１例をもとに具体的に説明したが、本発明の一枚のシートから鍔付き帽子を作製する手順はこれに限定されるものではない。
【図面の簡単な説明】
【００１６】
【図１】本発明の実施の１例を説明するための図
【符号の説明】
【００１７】
１  トップクラウンの中心
２  ダーツ縫線
３  ダーツ縫線
４  鍔縫線
５  鍔縫線
６  鍔仕上がり線
７  裁断線
ａ  ダーツ先端
ｂ  クラウン外周点
ｃ  クラウン外周点に鍔の長さを加えた点
ｄ  裁断線との交点
ｅ  ダーツ始点
ｆ  ダーツ始点
ｇ  鍔の縫製始点
ｈ  鍔の縫製始点
Ｌ  分割線
Ｌ１  前頭部中央の分割線
Ｌ２〜Ｌ１０  数字順に連続する分割線
【図１】
2010144268.tif 000003
【手続補正書】
【提出日】平成21年4月13日(2009.4.13)
【手続補正１】
【補正対象書類名】特許請求の範囲
【補正対象項目名】請求項１
【補正方法】変更
【補正の内容】
【請求項１】
一枚のシートから鍔付き帽子を製作する方法において、帽子のトップクラウン中心から６、８、９、１０、１２のいずれかに等分する分割線上のトップクラウン外周をダーツ先端とし、分割線上のクラウン外周までの長さの斜辺と、隣り合う分割線との中央を通る中央線に直交する頭周りを２倍の分割数で除した長さの辺との直角三角形の頂点をダーツ始点とし、ダーツ始点とダーツ先端を結んでダーツ縫線とし、分割線を軸とする軸対称のダーツ縫線を重ね合せてダーツ線とし、さらに、クラウンあるいは鍔に、折返し代および縫代を加えた外周線を唯一の裁断線として、裁断後、それぞれ重ね合せたダーツ縫線をダーツ縫いすることを特徴とする鍔付き帽子を製作する方法。
【手続補正書】
【提出日】平成21年6月23日(2009.6.23)
【手続補正１】
【補正対象書類名】特許請求の範囲
【補正対象項目名】請求項１
【補正方法】変更
【補正の内容】
【請求項１】
一枚のシートから鍔付き帽子を製作する方法において、トップクラウンの中心点から、６、８、９、１０、１２のいずれかに等分する分割線上のトップクラウン外周点をダーツ先端とし、隣り合う分割線の中央線上にある、トップクラウンの中心点を頂点とする直角三角形の辺に直交する、頭周りを２倍の分割線数で除した長さの辺と、分割線のトップクラウンの中心点からクラウン外周点までの長さと同じ長さの斜辺との頂角の頂点をダーツ始点とし、ダーツ始点からダーツ先端までをダーツ縫線とし、分割線ごとに、分割線を軸に軸対称に結んだダーツ縫線を重ね合せてダーツ線とし、さらに、クラウン外周に鍔を付け、折返し代および縫代を補足して、裁断後、分割線ごとに、ダーツ縫線を重ね合せてダーツ縫いすることを特徴とする鍔付き帽子を製作する方法。
【手続補正２】
【補正対象書類名】明細書
【補正対象項目名】０００４
【補正方法】変更
【補正の内容】
【０００４】
上記課題を解決するために、トップクラウンの中心点から、６、８、９、１０、１２のいずれかに等分する分割線上のトップクラウン外周点をダーツ先端とし、隣り合う分割線の中央線上にある、トップクラウンの中心点を頂点とする直角三角形の辺に直交する、頭周りを２倍の分割線数で除した長さの辺と、分割線のトップクラウンの中心点からクラウン外周点までの長さと同じ長さの斜辺との頂角の頂点をダーツ始点とし、ダーツ始点からダーツ先端までをダーツ縫線とし、分割線ごとに、分割線を軸に軸対称に結んだダーツ縫線を重ね合せてダーツ線とし、さらに、クラウン外周に鍔を付け、折返し代および縫代を補足して、裁断後、分割線ごとに、ダーツ縫線を重ね合せてダーツ縫いすることを特徴とする。
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
一枚のシートから鍔付き帽子を製作する方法において、トップクラウンの中心から６、８、９、１０、１２のいずれかに等分する分割線のトップクラウン外周点をダーツ先端とし、分割線のトップクラウンの中心からクラウン外周点までと同じ長さであるトップクラウンの中心を頂点とする直角三角形の斜辺と、隣り合う分割線との中央を通る中央線に直交する頭周りを２倍の分割線数で除した長さの辺との頂角の頂点をダーツ始点とし、ダーツ始点とダーツ先端を結んでダーツ縫線とし、分割線のトップクラウン外周点からクラウン外周点までを軸とする軸対称のダーツ縫線を設け、軸を折り返しにしてダーツ縫線を重ね合わせてダーツ線とし、さらに、クラウンおよび鍔の折返しあるいは縫代を加えた裁断線で裁断した後に、分割線ごとに、それぞれ重ね合わせたダーツ縫線をダーツ縫いすることを特徴とする鍔付き帽子を製作する方法。
【請求項２】
請求項１の方法により設けたダーツ縫線のダーツ始点と、クラウンに連接する鍔の外周点を結んで鍔縫線とし、分割線のクラウン外周点から鍔外周点までを軸として対称形に鍔縫線を設け、分割線ごとに、分割線のトップクラウン外周点から鍔外周点までを折り返しにして重ね合わせた、ダーツ始点からダーツ先端までのダーツ縫線およびダーツ始点から鍔外周点までの鍔縫線を連続して縫い合わすことを特徴とする鍔付き帽子。
【手続補正２】
【補正対象書類名】明細書
【補正対象項目名】０００４
【補正方法】変更
【補正の内容】
【０００４】
上記課題を解決するために、トップクラウンの中心から６、８、９、１０、１２のいずれかに等分する分割線のトップクラウン外周点をダーツ先端とし、分割線のトップクラウンの中心からクラウン外周点までと同じ長さであるトップクラウンの中心を頂点とする直角三角形の斜辺と、隣り合う分割線との中央を通る中央線に直交する頭周りを２倍の分割線数で除した長さの辺との頂角の頂点をダーツ始点とし、ダーツ始点とダーツ先端を結んでダーツ縫線とし、分割線のトップクラウン外周点からクラウン外周点までを軸とする軸対称のダーツ縫線を設け、軸を折り返しにしてダーツ縫線を重ね合わせてダーツ線とし、さらに、クラウンおよび鍔の折返しあるいは縫代を加えた裁断線で裁断した後に、分割線ごとに、それぞれ重ね合わせたダーツ縫線をダーツ縫いすることを特徴とする。
【手続補正書】
【提出日】平成21年9月30日(2009.9.30)
【手続補正１】
【補正対象書類名】特許請求の範囲
【補正対象項目名】全文
【補正方法】変更
【補正の内容】
【特許請求の範囲】
【請求項１】
頭の天辺から等距離にある円周をトップクラウン外周とし、頭部の好みの位置を巡らせた頭周りをクラウン外周とし、トップクラウンの中心から同一角度の中心角度を保ち放射状に伸びる、６、８、９、１０、１２のいずれかの数の分割線のトップクラウン外周点をダーツ先端とし、トップクラウンの中心から分割線のクラウン外周点までを半径とする円周と、隣り合う分割線の中心角を２等分する直角三角形の辺に直交する、頭周りを２倍の分割線数で割った長さの直角三角形のもう一辺の頂角の頂点との交点をダーツ始点とし、ダーツ始点とダーツ先端を結んでダーツ縫線とし、分割線のトップクラウン外周点からクラウン外周点までを軸に、一方のダーツ縫線と軸対称に結んだもう一方のダーツ縫線を重ね合わせてダーツ線とし、分割線ごとに軸対称のダーツ縫線を設け、さらに、鍔の縁の形状を示す鍔仕上がり線からクラウン外周までの間隔を鍔の長さとし、それぞれの分割線にクラウン外周点から鍔の長さにある点を印付け、隣り合った分割線の鍔の長さにある点を順に好みの形状の鍔仕上がり線で繋いで帽子の仕上がり線とし、帽子の仕上がり線に裁断線を付けて裁断後、分割線ごとに、分割線のトップクラウン外周点からクラウン外周点までを折り返しにして軸対称のダーツ縫線を重ね合わせてダーツ縫いし、ダーツのつまみを開いてクラウン外周に沿ってタックをとることを特徴とする鍔付き帽子を製作する方法、および、該方法により製作された鍔付き帽子。
【請求項２】
請求項１に記載の方法を利用して分割線ごとに軸対称のダーツ縫線を設け、さらに、それぞれの分割線にクラウン外周点から鍔の長さにある点を印付け、分割線から隣り合う分割線の中心角を２等分する直線に平行でダーツ始点を始点とする直線までの間で、トップクラウンの中心から分割線の鍔の長さにある点までを半径とする円周上に鍔の縫製始点を定め、鍔の縫製始点とダーツ始点を結んで鍔縫線とし、分割線のクラウン外周点から鍔の長さを加えた点までを軸に、一方の鍔縫線と対称に結んだもう一方の鍔縫線を重ね合わせて鍔の縫製線とし、分割線ごとに対称の鍔縫線を設け、隣り合う分割線に挟まれた鍔の縫製始点を好みの形状の鍔仕上がり線で繋ぎ、断続する鍔仕上がり線を分割線の鍔の長さの点を通る線で繋いで帽子の仕上がり線とし、帽子の仕上がり線に付けた裁断線を裁断後、分割線ごとに、トップクラウン外周点から鍔の長さの点までを折り返しにして、一方のダーツ縫線と鍔縫線を連続した縫線と軸対称のもう一方のダーツ縫線と鍔縫線を連続した縫線を重ね合わせることを特徴とする鍔付き帽子を製作する方法、および、該方法により製作された鍔付き帽子。
【手続補正２】
【補正対象書類名】明細書
【補正対象項目名】０００４
【補正方法】変更
【補正の内容】
【０００４】
上記課題を解決するために、トップクラウンの中心から、６、８、９、１０、１２のいずれかの数に等分割する分割線のトップクラウン外周点をダーツ先端とし、トップクラウンの中心からそれぞれの分割線のクラウン外周点までを半径とする円周上に、ダーツの開始点である対のダーツ始点を定め、分割線ごとに、分割線を軸にダーツ始点とダーツ先端を結んだ対のダーツ縫線を軸対称に設け、鍔の縁の形状を示す複数の鍔仕上がり線を繋いだ帽子の仕上がり線に裁断線を付け、裁断後、分割線ごとに、対のダーツ縫線を重ね合わせてダーツ縫いして形成したクラウンに、好みの形状の鍔を連接させることを特徴とする。
【手続補正３】
【補正対象書類名】図面
【補正対象項目名】図１
【補正方法】変更
【補正の内容】
【図１】
2010144268.tif 000004
【手続補正４】
【補正対象書類名】要約書
【補正対象項目名】全文
【補正方法】変更
【補正の内容】
【要約】
【要約】
【課題】従来のように、パーツごとに型紙をあてがって布を裁断した後で、それぞれの部品を接ぎ合せて帽子を製作するのではなく、帽子の仕上がり線に付けた一本の裁断線を裁断して鍔付き帽子を製作する方法を課題とした。
【解決手段】帽子の仕上がり線に付けた一本の裁断線を裁断後、ダーツ先端をトップクラウン外周点とし、ダーツの開始点である対のダーツ始点をクラウン外周上に定め、ダーツ始点とダーツ先端を結んだ対のダーツ縫線を重ね合わせてダーツ線とし、複数のダーツ線で形成したクラウンに好みの形状の鍔を連接させることを特徴とする。
【選択図】  図１
【手続補正書】
【提出日】平成22年1月6日(2010.1.6)
【手続補正１】
【補正対象書類名】特許請求の範囲
【補正対象項目名】全文
【補正方法】変更
【補正の内容】
【特許請求の範囲】
【請求項１】
一枚のシートから鍔付き帽子を製作する方法において、トップクラウン中心から６、８、９、１０、１２のいずれかに等分する分割線上に、トップクラウン中心から所定の等距離のトップクラウン外周点と、トップクラウン中心から所定の距離にあるクラウン外周点を定め、トップクラウン外周点をダーツ先端とし、隣り合う分割線の中心角を２等分する中央線に直交する辺で、頭周りを上記分割線の数の２倍の数で割った長さの辺の先端がトップクラウン中心からクラウン外周点までを半径とする円周と一致する点をダーツ始点とし、ダーツ始点とダーツ先端を結んでダーツ縫線とし、クラウン外周点に所定の鍔の長さを加えた点を鍔外周点とし、トップクラウン中心から鍔外周点までを半径とする円周と、ダーツ始点を通る半径方向直線との交点を鍔仕上がり線上の円周点と定め、この円周点からダーツ始点までの直線を鍔縫線とし、分割線ごとに、分割線の両側にそれぞれダーツ縫線および鍔縫線を軸対称に設け、さらに、隣り合う分割線間の上記円周点を繋いで鍔仕上がり線とし、鍔仕上がり線に所定の折返し代あるいは縫代を加えた裁断線で裁断した後、分割線ごとに、分割線の両側にあるダーツ縫線および鍔縫線をそれぞれ重ね合わせて縫製することを特徴とする鍔付き帽子を製作する方法。